(57)【要約】【課題】プライバシーモードを直感的かつ容易に設定することができる情報処理装置を提供することを目的とする。【解決手段】プライバシーモードを選択可能な情報処理装置１であって、画像を取得するための撮像部３１と、撮像部３１によって取得した画像の明るさに関する出力値を取得し、画像の明るさに関する出力値が所定の条件を充足するかを判定する判定部３２と、判定部３２によって、画像の明るさに関する出力値が所定の条件を充足すると判定された場合に、プライバシーモードを選択するモード選択部３５と、を備える。【選択図】図３
2018196010.tif 000002
【特許請求の範囲】
【請求項１】
画像を取得するための撮像手段と、
前記撮像手段によって取得した前記画像の明るさに関する出力値を取得し、前記画像の明るさに関する出力値が所定の条件を充足するかを判定する判定手段と、
前記判定手段によって、前記画像の明るさに関する出力値が所定の条件を充足すると判定された場合に、プライバシーモードを選択するモード選択手段と、
を備えた情報処理装置。
【請求項２】
前記プライバシーモードは、前記撮像手段による前記画像の取得環境、または取得した前記画像の出力に制限をかけるものであって、前記モード選択手段は、前記プライバシーモードを選択しているときに、前記判定手段によって前記画像の明るさに関する出力値が所定の条件を再度充足する、または他の条件を充足すると判定された場合に、前記プライバシーモードを解除する請求項１に記載の情報処理装置。
【請求項３】
周囲の明るさに関する情報に応じて閾値を設定する閾値設定手段を備え、
前記判定手段は、前記画像の明るさに関する出力値と前記閾値設定手段によって設定された閾値とを比較することで所定の条件を充足するかの判定を行う請求項１または２に記載の情報処理装置。
【請求項４】
前記閾値設定手段は、周囲の明るさに関する情報として前記画像の明るさに関する出力値を用いて前記閾値を設定する請求項３に記載の情報処理装置。
【請求項５】
周囲の明るさを検出する周囲照明検出手段を備え、
前記閾値設定手段は、周囲の明るさに関する情報として前記周囲照明検出手段によって検出した周囲の明るさに関する出力値を用いて前記閾値を設定する請求項３に記載の情報処理装置。
【請求項６】
周囲の明るさを検出する周囲照明検出手段と、
前記周囲照明検出手段によって検出された周囲の明るさと所定の周囲閾値とを比較する周囲照明比較手段と、
を備え、
前記モード選択手段は、前記判定手段によって前記画像の明るさに関する出力値が所定の条件を充足すると判定され、かつ、前記周囲照明比較手段によって周囲の明るさの度合が所定の周囲閾値以上であると判定された場合に、前記プライバシーモードを選択する請求項１に記載の情報処理装置。
【請求項７】
情報処理装置が使用状態か否かを判定する使用状態判定手段を備え、
前記モード選択手段は、前記情報処理装置が不使用状態から使用状態に変化した場合に、前記情報処理装置が前記不使用状態となる直前に選択していたモードを維持する請求項１から６のいずれか１項に記載の情報処理装置。
【請求項８】
前記判定手段によって、前記画像の明るさに関する出力値が所定の条件を充足すると継続して判定されている継続時間を計測する時間計測手段を備え、
前記時間計測手段によって計測された継続時間が所定の時間閾値以上である場合には、前記判定手段によって前記画像の明るさに関する出力値が所定の条件を充足しないと判定されたときに前記プライバシーモードを解除する請求項１から７のいずれか１項に記載の情報処理装置。
【請求項９】
前記撮像手段によって取得した前記画像の色を判定する色判定手段を備え、
前記モード選択手段は、前記判定手段の判定結果に加えて前記色判定手段の判定結果に基づいて、前記プライバシーモードを選択する請求項１に記載の情報処理装置。
【請求項１０】
画像を取得するための撮像工程と、
前記撮像工程によって取得した前記画像の明るさに関する出力値を取得し、前記画像の明るさに関する出力値が所定の条件を充足するかを判定する判定工程と、
前記判定工程によって、前記画像の明るさに関する出力値が所定の条件を充足すると判定された場合に、プライバシーモードを選択するモード選択工程と、
を備えたモード選択方法。
【請求項１１】
画像を取得するための撮像処理と、
前記撮像処理によって取得した前記画像の明るさに関する出力値を取得し、前記画像の明るさに関する出力値が所定の条件を充足するかを判定する判定処理と、
前記判定処理によって、前記画像の明るさに関する出力値が所定の条件を充足すると判定された場合に、プライバシーモードを選択するモード選択処理と、
をコンピュータに実行させるためのモード選択プログラム。
【発明の詳細な説明】
【技術分野】
【０００１】
本発明は、情報処理装置、モード選択方法、及びモード選択プログラムに関するものである。
【背景技術】
【０００２】
近年、ノートブック型パーソナルコンピュータ（以下「ノートＰＣ」という。）等の情報処理装置へのカメラの搭載率が増加している。情報処理装置に搭載されるカメラは、例えば、Ｓｋｙｐｅ（登録商標）といったＶｏＩＰアプリケーションを用いたチャットやビデオ会議等で使用され、主に、情報処理装置の使用者を撮影するために用いられている。上記のような用途のために、カメラは、使用者に向けて設置される。このため、カメラが搭載された情報処理装置には、プライバシー保護等の観点から、カメラ画像をマスクする等、使用者が表示されないような状態を保持するプライバシーモード機能が搭載されている（特許文献１参照）。
【先行技術文献】
【特許文献】
【０００３】
【特許文献１】特開２０１２−１１９７７４号公報
【発明の概要】
【発明が解決しようとする課題】
【０００４】
しかしながら、使用者がプライバシーモードを設定するには、例えば、情報処理装置を操作して、搭載されているカメラのプロパティ画面を開き、このプロパティ画面からプライバシーモードを設定するといった、手間のかかる操作を行う必要があった。
【０００５】
また、プライバシーモードを設定したとしても、カメラを使う必要が生じたときには、プライバシーモードを解除する必要があり、この解除の設定についても同様の手間のかかる操作を行う必要があった。このように、使用者がプライバシーモードを設定又は解除するためには、煩雑な操作が必要であり、使用者の利便性に欠けていた。
【０００６】
本発明は、このような事情に鑑みてなされたものであって、プライバシーモードを直感的かつ容易に設定可能な情報処理装置、モード選択方法、及びモード選択プログラムを提供することを目的とする。
【課題を解決するための手段】
【０００７】
上記課題を解決するために、本発明は以下の手段を採用する。
【０００８】
本発明の第一態様は、画像を取得するための撮像手段と、前記撮像手段によって取得した前記画像の明るさに関する出力値を取得し、前記画像の明るさに関する出力値が所定の条件を充足するかを判定する判定手段と、前記判定手段によって、前記画像の明るさに関する出力値が所定の条件を充足すると判定された場合に、プライバシーモードを選択するモード選択手段と、を備えた情報処理装置を提供する。
【０００９】
本発明の第二態様は、画像を取得するための撮像工程と、前記撮像工程によって取得した前記画像の明るさに関する出力値を取得し、前記画像の明るさに関する出力値が所定の条件を充足するかを判定する判定工程と、前記判定工程によって、前記画像の明るさに関する出力値が所定の条件を充足すると判定された場合に、プライバシーモードを選択するモード選択工程と、を備えたモード選択方法を提供する。
【００１０】
本発明の第三態様は、画像を取得するための撮像処理と、前記撮像処理によって取得した前記画像の明るさに関する出力値を取得し、前記画像の明るさに関する出力値が所定の条件を充足するかを判定する判定処理と、前記判定処理によって、前記画像の明るさに関する出力値が所定の条件を充足すると判定された場合に、プライバシーモードを選択するモード選択処理と、をコンピュータに実行させるためのモード選択プログラム。
【発明の効果】
【００１１】
本発明によれば、使用者がプライバシーモードを直感的かつ容易に設定することができるという効果を奏する。
【図面の簡単な説明】
【００１２】
【図１】本発明の一実施形態に係る情報処理装置の概略外観図である。
【図２】本発明の一実施形態に係る情報処理装置のハードウェア構成について示した図である。
【図３】本発明の一実施形態に係る情報処理装置の概略構成を示すブロック図である。
【図４】本発明の一実施形態に係る情報処理装置のプライバシーモードに関する概略図である。
【図５】本発明の一実施形態に係る情報処理装置のプライバシーモード設定に関するフローチャートである。
【図６】本発明の一実施形態に係る情報処理装置の概略外観図の変形例である。
【発明を実施するための形態】
【００１３】
以下に、本発明に係る情報処理装置１の一実施形態について、図面を参照して説明する。本実施形態では、情報処理装置１として、ノートＰＣを例示した場合について説明する。情報処理装置１としては、ノートＰＣに限られず、例えば、デスクトップ型ＰＣ、タブレット、スマートフォン等の携帯情報処理端末等であってもよい。
【００１４】
図１は、本発明の一実施形態に係る情報処理装置１の概略外観図である。
【００１５】
情報処理装置１は、図１に示すように、一例として、いずれも略直方体である本体側筐体２及びディスプレイ側筐体３を備える。
【００１６】
本体側筐体２は、入力部４を備える。入力部４は、使用者が入力操作を行うための使用者インターフェースであり、文字、コマンド等を入力する各種キーより構成されるキーボードや、画面上のカーソルを移動させたり、各種メニューを選択するタッチパッド等を備えている。
【００１７】
ディスプレイ側筐体３は、画像を表示する表示部５を備える。本実施形態において、表示部５は、ＬＣＤ（Ｌｉｑｕｉｄ  Ｃｒｙｓｔａｌ  Ｄｉｓｐｌａｙ）を例示するが、ＬＣＤに限らず有機ＥＬ（Ｅｌｅｃｔｒｏｌｕｍｉｎｅｓｃｅｎｃｅ）ディスプレイ等の他の表示機器、又はタッチパネルとされてもよい。ＬＣＤは、入力される表示データをビデオ信号に変換し、変換したビデオ信号に応じた各種情報を表示画面に表示する。
【００１８】
また、ディスプレイ側筐体３は、画像を取得するためのカメラ７及び光源８を備える。カメラ７は、ディスプレイ側筐体３においてＬＣＤの表示面側でその上方の略中央に配置され、前方の被写体を撮像可能とされている。光源８はディスプレイ側筐体３においてＬＣＤの表示面側でその上方の略中央に配置され、前方の被写体に対して、カメラ７の撮影に係る補助光を発する。
【００１９】
本体側筐体２及びディスプレイ側筐体３は、それぞれの端部で左右の一対の連結部６によって連結されている。連結部６は、ヒンジであり、本体側筐体２及びディスプレイ側筐体３を開閉自在に支持している。
【００２０】
図２は、本発明の一実施形態に係る情報処理装置１の概略構成を示す機能ブロック図である。情報処理装置１は、例えば、ＣＰＵ（Ｃｅｎｔｒａｌ  Ｐｒｏｃｅｓｓｉｎｇ  Ｕｎｉｔ）２１、メインメモリ２２、記憶部２３、表示部５、入力部４、通信部２６、カメラ７、光源８を備えている。これら各部は直接的にまたはバス２８を介して間接的に相互に接続されている。
【００２１】
ＣＰＵ２１は、例えば、バス２８を介して接続された記憶部２３に格納されたＯＳ（Ｏｐｅｒａｔｉｎｇ  Ｓｙｓｔｅｍ）により情報処理装置１全体の制御を行うとともに、記憶部２３に格納された各種プログラムを実行することにより各種処理、例えば、後述するモード選択処理を実行する。
【００２２】
メインメモリ２２は、キャッシュメモリ、ＲＡＭ（Ｒａｎｄｏｍ  Ａｃｃｅｓｓ  Ｍｅｍｏｒｙ）等の書き込み可能なメモリで構成される。メインメモリ２２は、ＣＰＵ２１の実行プログラムの読み出し、実行プログラムによる処理データの書き込み等を行う作業領域として利用される。
【００２３】
記憶部２３は、例えば、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリ等であり、例えば、Ｗｉｎｄｏｗｓ（登録商標）、ｉＯＳ（登録商標）、Ａｎｄｒｏｉｄ（登録商標）等の情報処理装置１全体の制御を行うためのＯＳ、周辺機器類をハードウェア操作するための各種ドライバ、特定業務に向けられたアプリケーション、及び各種データやファイル等を格納する。また、記憶部２３には、後述するモード選択処理を実現するためのプログラムや、モード選択処理を実現するために必要とされる各種データが格納されている。
【００２４】
表示部５は、例えば、ＬＣＤであり、ＣＰＵ２１の制御に従って表示を行う。
【００２５】
入力部４は、例えば、キーボード、マウス等であり、使用者が入力操作を行うのに使用される。
【００２６】
通信部２６は、ネットワークに接続して他の情報処理装置１と通信を行い情報の送受信を行うためのインターフェースである。
【００２７】
カメラ７は、例えば、使用者からの入力操作等に基づいてＣＰＵ２１によって制御される。光源８は、カメラ７による撮影に係る補助光を発し、ＣＰＵ２１によって制御される。
【００２８】
図３は、情報処理装置１が備える機能の一例を示した機能ブロック図である。図３に示すように、情報処理装置１は、例えば、撮像部３１、判定部３２、周囲照明検出部３３、周囲照明比較部３４、モード選択部３５を主な構成として備えている。これら各部によって実現される後述の各種処理は、例えば、情報処理装置１のＣＰＵ２１が記憶部２３に記憶されているモード選択プログラムをメインメモリ２２に読み出して実行することにより実現される。メインメモリ２２又は記憶部２３に記憶されているモード選択プログラムは、例えば、所定のサーバからダウンロードして、または、所定の記録媒体からインストールされて保存されたプログラムでもよく、製造時に記憶部２３に格納されているプログラムでもよい。後述の情報処理装置１におけるモード選択に関する各種処理はモード選択プログラムの機能により実現される。
【００２９】
本実施形態では、例示的に使用者の指によってカメラ７が塞がれた場合について説明するが、カメラ７を塞ぐものは、使用者の掌等でもよい。なお、本実施形態では、使用者が指でカメラ７を塞ぐ動作とは、指でカメラ７を長時間塞ぐという動作は含まない。換言すると、使用者が指でカメラ７を塞ぐ動作とは、使用者はカメラ７を例えば指で短時間タッチする程度の遮蔽を意味している。なお、カメラ７が塞がれた状態とは、例えばカメラ７が光学式の場合には、カメラ７の内部で光に基づく情報を検出するイメージセンサ等のセンサへの光が遮断された状態である。具体的には、本実施形態では、カメラ７が備えるレンズを指で塞ぐことで光を遮断する。なお、センサへの光が遮断されれば、レンズを塞ぐ行為に限られない。例えば、レンズとイメージセンサの間にシャッター等の遮蔽物がある場合には、該遮蔽物によってセンサへの光を遮断してもよい。
【００３０】
撮像部３１は、例えばカメラ７を含み、画像を撮影し、処理対象の画像データを取得する。カメラ７は、ディスプレイ側筐体３において表示面上方に配置され、情報処理装置１の使用者を撮影する。また、撮像部３１は、カメラ７による撮影時において補助光を発する光源８を備えている。なお、光源８を備えている例を説明するが、光源８を備えない構成としてもよい。
【００３１】
カメラ７は、通常の可視光域で得られる画像を撮像するためのカメラであってもよく、ＩＲカメラであってもよい。カメラ７がＩＲカメラである場合には、光源８としてＩＲ  ＬＥＤを用いる。なお、カメラ７としては、３Ｄカメラ等を用いてもよい。
【００３２】
判定部３２は、撮像部３１によって取得された画像の明るさに関する出力値を取得し、画像の明るさに関する出力値が所定の条件を充足するかを判定する。例えば、撮像部３１によって取得された画像の明るさに関する出力値を取得し、画像の明るさに関する出力値と所定の閾値とを比較する。例えば、画像の明るさに関する出力値と予め設定された閾値とを比較することによって、カメラ７が、例えば、使用者の指などによって塞がれているかどうかを判定する。画像の明るさに関する出力値とは、例示的には、取得した画像の輝度や露出等を示す情報、取得した画像の明るさに連動して設定されるフレームレート、自動露出補正に用いられる補正値、又はイメージセンサのゲイン値等である。本実施形態においては、画像の明るさに関する出力値として、取得した画像の明るさに連動して設定されるフレームレートを採用する場合を例示して説明する。情報処理装置１のフレームレートは、撮像部３１より取得される画像の明るさに連動して、例えば、明るいときでは３０ｆｐｓ、暗いときでは１０ｆｐｓと変化する。なお、上記のフレームレートは一例であり、これに限らない。また、フレームレート等が撮像部３１により取得した画像の明るさに応じて変化しない設定がされている場合には、モード切替を行わないこととしてもよい。
【００３３】
閾値は、カメラ７が塞がれる前の撮像部３１から取得された画像の明るさに関する出力値と、塞がれた後の撮像部３１から取得された画像の明るさに関する出力値が区別できるように、各画像の明るさに関する出力値の間の範囲内において設定される。本実施形態では、画像の明るさに関する出力値を例示的にフレームレートとして説明するため、閾値についてもフレームレートとして説明する。具体的には、情報処理装置１のフレームレートが明るいときでは３０ｆｐｓ、暗いときでは１０ｆｐｓと変化する場合において、閾値は、３０ｆｐｓから１０ｆｐｓの間において、指でカメラ７が塞がれたことが検出できる値が適宜設定され得る。
【００３４】
周囲照明検出部３３は、情報処理装置１の周囲の明るさを検出する。具体的には、情報処理装置１に撮像部３１とは異なる位置に設けられたセンサであり、本実施形態では、環境照明センサ（以下「ＡＬＳ」という。）として説明する。周囲照明検出部３３によって、例えば、周囲の照度を検出することによって、情報処理装置１の周囲の明るさを検出する。周囲照明検出部３３は、周囲の明るさを検出できるセンサであればＡＬＳに限られない。
【００３５】
周囲照明比較部３４は、周囲照明検出部３３によって検出された周囲の明るさに関する出力値と所定の周囲閾値とを比較する。具体的には、検出された周囲の明るさに関する出力値と予め設定された周囲の明るさに対する周囲閾値とを比較することによって、情報処理装置１の周囲が明るいか否かを判定する。後述するが、判定部３２と周囲照明比較部３４の両方の判定結果を参照することにより、周囲の明るいが、撮像部３１により取得される画像は暗いという状態を判定することができ、情報処理装置１のカメラ７が使用者によって意図して塞がれていることを正確に判定することができる。本実施形態では、周囲照明検出部３３をＡＬＳとして照度を検出するため、周囲閾値として、周囲が明るい状態であるか否かが判定可能な照度が適宜設定される。
【００３６】
モード選択部３５では、図４に示すように、通常の撮像を行うための撮像モードと（図４左参照）、撮像部３１での画像の取得、取得環境、または取得した画像の出力に制限をかけるプライバシーモード（図４右参照）のどちらかのモードを選択する。プライバシーモードとしては、例えば、撮像部３１での画像の取得自体を行わないように制限をかけたり、撮像部３１が備える光源８をオフ状態として、カメラ７による画像取得の際の補助光を出力しないように制限したり、又は、撮像を行った場合でも外部に画像データを出力しないように制限したり、撮像画像の代わりに撮像画像をマスクする画像を外部に出力するように画像の出力を制限したりする。モードを選択するために、モード選択部３５には、判定部３２及び周囲照明比較部３４から各比較結果が入力される。モード選択の条件としては、判定部３２によって画像のフレームレートが所定の閾値以下であると判定され、かつ、周囲照明比較部３４によって周囲の照度が所定の周囲閾値以上であると判定された場合に、使用者によって意図的にカメラ７が塞がれたと判断して、プライバシーモードを選択する。それ以外の場合では、カメラ７が塞がれていない、又は周囲全体が暗くなったと判断して、撮像モードを選択し、設定する。
【００３７】
プライバシーモードが選択されている状態で、プライバシーモードが選択される所定の条件を再度充足した場合、又は、他の所定の条件を充足したときに、プライバシーモードを解除することとしてもよい。具体的には、プライバシーモードが選択されている状態で、プライバシーモードを選択した条件と同じ条件、つまり、判定部３２によって画像のフレームレートが所定の閾値以下であると判定され、かつ、周囲照明比較部３４によって周囲の照度が所定の周囲閾値以上であると判定された場合には、再度、使用者によって意図的にカメラ７が塞がれたと判断して、モード選択部３５は、撮像モードを選択、すなわち、プライバシーモードを解除することとしてもよい。また、例えば、プライバシーモードが選択されている状態で、プライバシーモードを選択した条件と異なる条件、例えば、情報処理装置１の電源がオフとされたときに、プライバシーモードを解除することとしてもよい。
【００３８】
次に、本実施形態に係る情報処理装置１によって実行されるモード選択方法について説明する。図５は、本実施形態に係る情報処理装置１によって行われるモード選択方法の手順を示すフローチャートである。図５に示した処理フローは、例えば、Ｓｋｙｐｅ（登録商標）といったＶｏＩＰアプリケーションが起動されると開始され、その後、所定の周期で繰り返し実行される。なお。本実施形態に係る情報処理装置１の動作は、特定のアプリケーションの起動によらず、情報処理装置１が起動するとバックグラウンドで連続的に繰り返し実行されることとしてもよい。
【００３９】
情報処理装置１を起動すると、判定部３２は、撮像部３１によって取得される画像のフレームレートＤ１を取得し（Ｓ１００）、取得した画像のフレームレートＤ１と予め設定された閾値ＴＨ１とを比較する（Ｓ１０１）。
【００４０】
撮像部３１によって取得された画像のフレームレートＤ１が、予め設定された閾値ＴＨ１以上であると判定された場合には（Ｓ１０１のＮＯ判定）、当該処理を終了する。
【００４１】
撮像部３１によって取得される画像のフレームレートＤ１が、予め設定された閾値ＴＨ１以下であると判定された場合には（Ｓ１０１のＹＥＳ判定）、周囲照明検出部３３によって情報処理装置１の周囲の照度Ｄ２が検出され（Ｓ１０２）、周囲照明比較部３４によって、周囲照明検出部３３によって検出された周囲の照度Ｄ２が所定の周囲閾値ＴＨ２と比較される（Ｓ１０３）。
【００４２】
周囲照明比較部３４によって、周囲の照度Ｄ２が所定の周囲閾値ＴＨ２以下であると判定された場合には（Ｓ１０３のＮＯ判定）、当該処理を終了する。
【００４３】
周囲照明比較部３４によって、周囲の照度Ｄ２が所定の周囲閾値ＴＨ２以上であると判定された場合には（Ｓ１０３のＹＥＳ判定）、現在選択しているモードがプライバシーモードであるか否かを判定する（Ｓ１０４）。
【００４４】
プライバシーモードでないと判定された場合には（Ｓ１０４のＮＯ判定）、プライバシーモードを選択する（Ｓ１０５）。また、プライバシーモードであると判定された場合には（Ｓ１０４のＹＥＳ判定）、撮像モードを選択する。これにより、プライバシーモードを解除する（Ｓ１０６）。
【００４５】
なお、本実施形態では、所定の周期で図５に示す動作が繰り返し実行される場合について説明したが、所定の周期を用いずに、例えば、連続的に処理を繰り返し実行することとしてもよい。
【００４６】
以上説明してきたように、本実施形態に係る情報処理装置１、モード選択方法、及びモード選択プログラムによれば、使用者がプライバシーモードを設定したいときに、情報処理装置１に設けられたカメラ７を指でタッチするといった直感的かつ簡単な方法によって、速やかにプライバシーモードを設定することができる。また、同様の操作で、プライバシーモードの解除も簡単に行うことができるため、撮像モードとプライバシーモードとを煩雑な設定操作を行うことなく切り替えることができる。また、撮像部３１によって取得される画像の明るさに関する出力値と、周囲の明るさに関する出力値に基づいてモード切替を制御しているため、画像処理等を必要とせず簡単な比較により正確なモード切替が可能となる。このため、情報処理装置１の他のプログラムの実行に影響を与えず、低消費電力でモード切替を制御できる。
【００４７】
〔変形例１〕
本実施形態の変形例として、例えば、図６のように、可視光域で得られる画像を撮像するためのカメラ７に加えて、ＩＲカメラ９を備える構成としてもよい。この場合、ＩＲカメラ９で撮影を行うときの補助光としてＩＲ  ＬＥＤ１０を設ける。本変形例では、カメラ７及びＩＲカメラ９の両方または何れか一方に対して、上述の撮像モードとプライバシーモードを選択する制御を適用する。
【００４８】
〔変形例２〕
本実施形態の変形例として、モード選択部３５が行うモード選択の条件について、周囲照明比較部３４を用いずに、判定部３２のみを用いてもよい。判定部３２のみを用いた場合には、判定部３２によって、画像のフレームレートＤ１が所定の閾値ＴＨ１以下であると判定された場合に、プライバシーモードを選択する。そして、プライバシーモードを選択しているときに、判定部３２によって画像のフレームレートＤ１が所定の閾値ＴＨ１以下であると判定された場合には、プライバシーモードを解除してもよい。
【００４９】
〔変形例３〕
例えば、明るい環境下でカメラ７が使用者によって塞がれた場合と、暗い環境下でカメラ７が使用者によって塞がれた場合とでは、撮像部３１が取得した画像の明るさに関する出力値が異なる場合がある。このため、本実施形態の変形例として、判定部３２が用いる閾値を周囲の明るさに応じて変更する閾値設定部を更に設けてもよい。このように、撮像部３１が取得した画像の明るさに関する出力値と比較される閾値についても周囲の環境（明るさ）に応じて変更することにより、より正確にモード切替を実行することが可能となる。
【００５０】
具体的には、情報処理装置１の周囲の明るさが予め設定された第１基準値以上の場合に閾値を明るさが増す方向に変更し、周囲の明るさが第１基準値よりも小さい値である第２基準値以下の場合に閾値を明るさが減る方向に変更する。また、この例に限らず、周囲の明るさと閾値とが関連付けられているテーブルを有しており、このテーブルを参照することにより、周囲の明るさに応じた閾値を設定することとしてもよい。
【００５１】
また、上記閾値については、撮像部３１から取得される画像の明るさに関する出力値に応じて変更してもよいし、周囲照明検出部３３によって検出される周囲の明るさに関する出力値に基づいて変更してもよい。
【００５２】
〔変形例４〕
例えば、使用者が情報処理装置１（ノートＰＣ）を閉じたとき（不使用状態）には、カメラ７が遮蔽されるため、取得される画像の明るさに関する出力値は所定の閾値以下となる。このような状況において、特に、モード切替の条件が変形例２のように判定部３２のみを用いて行うものであれば、情報処理装置１を閉じることによって、使用者の意図しないモード切替が実行される可能性がある。このため、本実施形態の変形例として、情報処理装置１が使用状態か否かを判定する使用状態判定部を更に備え、情報処理装置１が不使用状態から使用状態に遷移した場合に、モード選択部３５が不使用状態となる直前に選択していたモードを維持することとしてもよい。このようにすることで、モード切替の条件が成立してしまった場合でも、情報処理装置１が不使用となる前のモードが維持されるため、使用者の意図しないモード切替を防ぐことができる。
【００５３】
情報処理装置１が使用状態か否かを判定する使用状態判定部として、例えば、Ｌｉｄスイッチのように情報処理装置１が閉じられているか否かを検出するセンサを使用することが可能である。また、使用する情報処理装置１がスマートフォンのような携帯端末である場合には、携帯端末が画面を下向きにして置かれるか否かを判定するＧセンサ等が挙げられる。また、情報処理装置１がスリープモードのような待機状態であるか否かを判定することにより、情報処理装置１が使用状態にあるか否かを判定することとしてもよい。
【００５４】
〔変形例５〕
例えば、カメラ７にその前面を覆う開閉可能な物理的遮蔽物が設けられている場合には、使用者によって物理的遮蔽物が閉じられた場合、撮像部３１によって取得される画像の明るさに関する出力値が閾値以下となるため、プライバシーモードが設定される。その後、使用者によって物理的遮蔽物が取り除かれた場合、例えば、物理的遮蔽物が開かれた場合には、使用者は、プライバシーモードを解除して撮像を行うことを期待する。しかしながら、上述した本実施形態に係る情報処理装置１では、物理的遮蔽物を開くという使用者のジェスチャーだけではプライバシーモードが解除されず、例えば、使用者の指によって撮像部３１が再度遮蔽されるまで、プライバシーモードが維持されてしまう。
そこで、利用者の更なる利便性を図るために、本変形例では、物理的遮蔽物が設けられている場合に、使用者が物理的遮蔽物を開く操作を行うことで、容易にプライバシーモードを解除できるようにする。
例えば、本変形例では、判定部３２によって画像の明るさに関する出力値が所定の閾値以下である状態が所定時間以上維持された場合には、画像の明るさに関する出力値が所定の閾値を超えたときに、プライバシーモードから撮像モードに切り替える。なお、カメラ７を塞ぐ手段としては、例えば、ビニールテープのようなものでもよい。ここで、「所定時間」とは、物理的遮蔽物によって撮像部３１が長時間遮蔽される場合を想定して設定されており、上述の本実施形態で説明した使用者の指によってカメラ７を短時間塞ぐ動作とは区別する程度の時間に設定されている。
【００５５】
具体的には、まず、撮像部３１により取得した画像の明るさに関する出力値が所定の閾値以下であると判定された場合に、プライバシーモードを選択する。そして、プライバシーモードに移行してからの時間をタイマー等の時間計測部によって計測し、この計測時間が所定の時間閾値以上である場合には、カメラ７が物理的遮蔽物によって塞がれたと判定する。その後、判定部３２によって画像の明るさに関する出力値が所定の閾値以上であると判定された場合に、物理的遮蔽物が撮像部３１から外されたと判定して、プライバシーモードを解除する。一方、時間計測部によって計測された時間が所定の時間閾値未満である場合には、モード切替を意図した使用者のジェスチャーであると判定して、プライバシーモードを維持する。
【００５６】
このような構成とすることによって、時間計測部によって計測した時間と時間閾値とを比較して、カメラ７が使用者の指によって塞がれたのか、物理的遮蔽物によって塞がれたのかを判定し、その判定結果に応じてプライバシーモードを維持するのか解除するのかを決定するので、例えば、カメラ７が物理的遮蔽物によって塞がれた状態とされていた場合でも使用者の期待と整合するようにプライバシーモードの維持又は解除が可能となる。さらに、例えば、カメラ７に対して物理的遮蔽物が閉じている等の物理的にカメラ７が遮蔽されていることを検出するためのセンサを新たに設ける必要もない。
【００５７】
また、光源８を備えている場合において、物理的遮蔽物によってカメラ７と共に光源８が遮蔽されると、光源８の放熱が阻害されるおそれがある。このため、プライバシーモードでは、光源８をオフするとよい。特に、放熱の必要性の高いＩＲ  ＬＥＤ１０を用いる場合では、光源８をオフするとよい。例えば、カメラ７がＩＲカメラ９で、光源８としてＩＲ  ＬＥＤを用いる場合や、上述の変形例１のようにＩＲカメラ９とＩＲ  ＬＥＤ１０を備える場合には、プライバシーモードでは、光源８やＩＲ  ＬＥＤ１０をオフするとよい。
【００５８】
〔変形例６〕
また、本実施形態の変形例として、撮像部３１によって取得した画像の明るさに関する出力値と併用して、取得した画像の色に関する出力値に基づいて、カメラ７が塞がれたか否かの判定を行うこととしてもよい。本変形例では、上述の本実施形態の構成に加えて、撮像部３１によって取得した画像が単一色か否かを判定する色判定部を備え、モード選択部３５は、判定部３２の比較結果と色判定部の比較結果に基づいて、プライバシーモードの設定／解除を行う。
【００５９】
例えば、子供の指や薄い紙等によってカメラ７が塞がれた場合や、屋外などの非常に明るい場所でカメラ７がふさがれた場合には、撮像部３１から取得した画像は十分暗くならないため、画像の明るさに関する出力値だけでは、カメラ７が塞がれているか否かの正確な判断ができない可能性がある。具体的には、子供の指等でカメラ７が塞がれた場合には、撮像部３１より取得される画像は少し暗くなるとともに、全面的に赤くなる。このため、赤色に関する評価値、例えば、色度（Ｒ，Ｇ，Ｂの割合の範囲等）を予め設定しておき、撮像部３１によって取得された画面全体が同一の色度であると評価できる場合には、画像の明るさに関する出力値にかかわらず、使用者によってカメラ７が塞がれたと判断して、モード切替を行う。これにより、使用者によって撮像部３１が塞がれたことをより正確に検出することができ、正確にモード切替、すなわち、プライバシーモードの設定及び解除を行うことができる。
【００６０】
色判定部によって評価される色に関する評価値は、赤色に関する評価値に限られず、何色でも設定され得る。すなわち、本変形例における色判定部は、色の濃淡はあっても、画面全体が同一色であるか否かを判定し、同一色である場合には、カメラ７がふさがれたと判定して、モード切替を行うこととすればよい。
【００６１】
このような構成とすることで、使用者がプライバシーモードを設定するためにカメラ７を塞いだ場合であって、撮像部３１から取得した画像が十分暗くならないような状況であっても、画像が単一色か否かに応じてモード切替を行うので、画像の明るさに関する判定を補完でき、より正確にモード切替を行うことできる。
【符号の説明】
【００６２】
１    ：情報処理装置
２    ：本体側筐体
３    ：ディスプレイ側筐体
４    ：入力部
５    ：表示部
６    ：連結部
７    ：カメラ
８      ：光源
９      ：ＩＲカメラ
１０    ：ＬＥＤ
２１  ：ＣＰＵ
２２  ：メインメモリ
２３  ：記憶部
２６  ：通信部
２８  ：バス
３１  ：撮像部
３２  ：判定部
３３  ：周囲照明検出部
３４  ：周囲照明比較部
３５  ：モード選択部
【図１】
2018196010.tif 000003
【図２】
2018196010.tif 000004
【図３】
2018196010.tif 000005
【図４】
2018196010.tif 000006
【図５】
2018196010.tif 000007
【図６】
2018196010.tif 000008